(57)【要約】【課題】管体内のフレキシブル配線基板と口金の端子との電気的な接続を容易にできる直管形ランプを提供する。【解決手段】直管形ランプは、管体20、口金、および発光モジュール21を備える。管体20は、円筒状で、透光領域26を有する。口金は、端子を有し、管体20の端部に配設する。発光モジュール21は、管体20の内面に沿って配置するフレキシブル配線基板31、およびこのフレキシブル配線基板31の表面に実装した発光部を有する。フレキシブル配線基板31に配線を設けるとともに、フレキシブル配線基板31の端部にフレキシブル配線基板31の表面31aよりも浮き上がって配線と口金の端子とを電気的に接続する接続部35を設ける。【選択図】図１
2015153624.tif 000002
【特許請求の範囲】
【請求項１】
透光領域を有する円筒状の管体と；
端子を有し、前記管体の端部に配設される口金と；
前記管体の内面に沿って配置されるフレキシブル配線基板、およびこのフレキシブル配線基板の表面に実装された発光部を有し、前記フレキシブル配線基板に配線が設けられているとともに、前記フレキシブル配線基板の端部に前記フレキシブル配線基板の表面よりも浮き上がって前記配線と前記口金の前記端子とを電気的に接続する接続部が設けられた発光モジュールと；
を具備することを特徴とする直管形ランプ。
【請求項２】
前記接続部は、前記フレキシブル配線基板の端部に設けられる切込み部を介して切り起こされている
ことを特徴とする請求項１記載の直管形ランプ。
【請求項３】
前記切込み部の端部は円形孔状に形成されている
ことを特徴とする請求項２記載の直管形ランプ。
【請求項４】
前記管体は、端部にこの端部以外よりも径が小さい縮径部が設けられている
ことを特徴とする請求項１ないし３いずれか一記載の直管形ランプ。
【請求項５】
前記フレキシブル配線基板は、前記フレキシブル配線基板の端部が前記縮径部に当接して位置決めされている
ことを特徴とする請求項４記載の直管形ランプ。
【請求項６】
器具本体と；
前記器具本体に配置されたソケットと；
前記ソケットに装着される請求項１ないし５いずれか一記載の直管形ランプと；
を具備することを特徴とする照明装置。
【発明の詳細な説明】
【技術分野】
【０００１】
本発明の実施形態は、フレキシブル配線基板に発光部を実装した発光モジュールを用いる直管形ランプ、およびこの直管形ランプを用いる照明装置に関する。
【背景技術】
【０００２】
従来、管体内に発光モジュールを収容し、管体の両端に口金を配設した直管形ランプがある。このような直管形ランプでは、比較的強固な基板に発光部を実装した発光モジュールを用い、この発光モジュールを放熱等のために金属製の基台に取り付けて管体内に配置するのが一般的である。
【０００３】
また、フレキシブル配線基板に発光部を実装した発光モジュールを用い、この発光モジュールを管体内に配置する直管形ランプが提案されている。
【先行技術文献】
【特許文献】
【０００４】
【特許文献１】特開２０１２−１１４０３４号公報
【発明の概要】
【発明が解決しようとする課題】
【０００５】
しかしながら、フレキシブル基板を用いると、管体内の配置されるフレキシブル配線基板と口金が有する端子とを電気的に接続するのが難しい構造となり、その電気的な接続を容易にできない。
【０００６】
本発明が解決しようとする課題は、管体内のフレキシブル配線基板と口金の端子との電気的な接続を容易にできる直管形ランプおよび照明装置を提供することである。
【課題を解決するための手段】
【０００７】
実施形態の直管形ランプは、管体、口金、および発光モジュールを備える。管体は、円筒状で、透光領域を有する。口金は、端子を有し、管体の端部に配設する。発光モジュールは、管体の内面に沿って配置するフレキシブル配線基板、およびこのフレキシブル配線基板の表面に実装した発光部を有する。フレキシブル配線基板に配線を設けるとともに、フレキシブル配線基板の端部にフレキシブル配線基板の表面よりも浮き上がって配線と口金の端子とを電気的に接続する接続部を設ける。
【発明の効果】
【０００８】
本発明によれば、フレキシブル配線基板の端部に、フレキシブル配線基板の表面よりも浮き上がって配線と口金の端子とを電気的に接続する接続部を設けることにより、管体内のフレキシブル配線基板と口金の端子との電気的な接続を容易にすることが期待できる。
【図面の簡単な説明】
【０００９】
【図１】一実施形態を示す直管形ランプの斜視図である。
【図２】同上直管形ランプの管軸方向に沿った断面図である。
【図３】同上直管形ランプの管軸方向に直交する方向の断面図である。
【図４】同上直管形ランプの正面図である。
【図５】同上直管形ランプを用いた照明装置の斜視図である。
【発明を実施するための形態】
【００１０】
以下、一実施形態を、図１ないし図５を参照して説明する。
【００１１】
図５に示すように、照明装置10は、直管形ランプ11を使用する。照明装置10は、器具本体12、この器具本体12の長手方向の両端に配置されるソケット13，14、および器具本体12内に配設される電源回路15等を備えている。
【００１２】
そして、図１ないし図４に、直管形ランプ11を示す。直管形ランプ11は、管体20、この管体20内に配置される発光モジュール21、および管体20の両端に配設される口金22，23を備えている。
【００１３】
管体20は、ガラスあるいは例えばポリカーボネート等の樹脂材料で円筒状に形成されている。管体20は、透明でもよいし、乳白色等の半透明でもよい。管体20は、少なくとも管体20から光を出射する方向に対応して透光領域26を備えている。透光領域26は管体20の一部でもよいし全体でもよい。なお、図に示す本実施形態の直管形ランプ11では、透明なガラスで円筒状に形成されている。
【００１４】
管体20の両方の端部には、この端部以外の箇所すなわち管体20の中間部よりも径が小さい縮径部27が形成されている。管体20の内面には、管体20の中間部と管体20の端部の縮径部27との間に段差部28が形成されている。
【００１５】
また、発光モジュール21は、長尺な帯状のフレキシブル配線基板31、およびこのフレキシブル配線基板31の表面31aの幅方向中央に実装された複数の発光部32を備えている。
【００１６】
フレキシブル配線基板31は、フィルム状の絶縁材33とパターン状の配線34を積層して構成されている。絶縁材33は、光を透過可能な透明または光拡散性を有する半透明で形成され、あるいは光を透過しない不透明に形成されている。不透明の場合には、フレキシブル配線基板31の表面31aに、光の反射率が高い高反射膜を形成してもよい。配線34は、絶縁材33の幅方向の中央領域に長手方向に沿って配置されている。そして、配線34に複数の発光部32が電気的に接続され、配線34により複数の発光部32が直列に電気的に接続されている。
【００１７】
フレキシブル配線基板31の長手方向の寸法は、管体20の両端の縮径部27（段差部28）の間隔と同じかわずかに短く形成されている。また、フレキシブル配線基板31の幅方向の寸法は、管体20の内径寸法より広く、フレキシブル配線基板31を管体20内に配置することで、フレキシブル配線基板31が管体20の内面に沿って湾曲し、フレキシブル配線基板31の裏面31bが管体20の内周面に沿って接することが可能となる範囲に形成されている。
【００１８】
フレキシブル配線基板31の一方の端部には、接続部35が設けられている。接続部35は、配線34を含む絶縁材33の一部が、両側の切込み部36を介してフレキシブル配線基板31から切り起こされている。接続部35の端部（先端部）とは反対側が連結部37を介してフレキシブル配線基板31に連結されている。そして、接続部35は、連結部37でフレキシブル配線基板31から曲げて、フレキシブル配線基板31の表面31aよりも浮き上がることが可能に構成されている。また、切込み部36の端部は、円形孔状に形成されている。すなわち、切込み部36の端部には、切込み部36の幅より大径の円形孔38が形成されている。また、接続部35の先端側には、口金22側との電気的な接続をするための基板側コネクタ39が実装されている。基板側コネクタ39は配線34に電気的に接続されている。また、接続部35は、本実施形態ではフレキシブル配線基板31の端部より長くしているが、フレキシブル配線基板31の端部と同じ長さでもよい。
【００１９】
発光部32は、発光素子である例えばＬＥＤや有機ＥＬ等が用いられる。本実施形態では、発光素子としてＬＥＤを備えた表面実装形のＳＭＤ（Surface Mount Device）パッケージが用いられている。そして、複数の発光部32がフレキシブル配線基板31の表面31aの幅方向中央で長手方向に沿って所定の間隔をあけて実装されている。
【００２０】
また、口金22，23は、ＧＸ１６ｔ−５形口金である。口金22，23は、電気絶縁性を有する樹脂により、それぞれ有底の円筒状に形成されている。口金22，23には、管体20の長手方向の両端部が挿入されている。そして、口金22，23は、それぞれ管体20の端部に接着あるいはかしめて固定されている。
【００２１】
口金22は、給電端子側口金であり、端子としての一対の給電端子42が配設されている。一対の給電端子42は、Ｌ字形に形成されているとともに、互いに反対向きとなるように口金22から突出されている。一対の給電端子42は、口金22内に配置された口金側コネクタ43に電気的に接続されている。口金側コネクタ43はフレキシブル配線基板31の基板側コネクタ39に接続されている。
【００２２】
口金23は、非給電端子側口金あるいはアース端子側口金であり、１個の保持子44を配設している。保持子44は、直方体に形成されて、口金23から突出されている。
【００２３】
次に、本実施形態の作用について説明する。
【００２４】
直管形ランプ11を組み立てるには、フレキシブル配線基板31の接続部35の基板側コネクタ39と口金22の口金側コネクタ43とを接続し、管体20の一端からその管体20内にフレキシブル配線基板31をその表面31aが内側を向くように湾曲させながら挿入する。なお、管体20の一端からその管体20内にフレキシブル配線基板31をその表面31aが内側を向くように湾曲させながら挿入する過程で、フレキシブル配線基板31の接続部35の基板側コネクタ39と口金22の口金側コネクタ43とを接続してもよい。
【００２５】
管体20の一端に口金22を被せて固定するとともに、管体20の他端に口金23を被せて固定する。
【００２６】
そして、このように組み立てられた直管形ランプ11では、フレキシブル配線基板31の接続部35の基板側コネクタ39と口金22の口金側コネクタ43との接続により、フレキシブル配線基板31の配線34と口金22の給電端子42とが電気的に接続されている。
【００２７】
また、管体20内に配置されたフレキシブル配線基板31は、管体20の内面との接触によって湾曲した状態に保たれ、フレキシブル配線基板31の裏面31bが管体20の内面に沿って接するとともに、フレキシブル配線基板31が湾曲変形に対して平面状に戻ろうとする復元力によってフレキシブル配線基板31の裏面31bが管体20の内面に沿って押し付けられている。
【００２８】
さらに、フレキシブル配線基板31の長手方向の両端部が管体20の両端の縮径部27（段差部28）に当たり、管体20に対してフレキシブル配線基板31の長手方向の位置が位置決めされるとともに保持される。
【００２９】
さらに、管体20の縮径部27より内径側を通じて、接続部35の基板側コネクタ39と口金22の口金側コネクタ43とが接続されていることにより、接続部35がフレキシブル配線基板31の表面31aよりも浮き上がる。なお、接続部35がフレキシブル配線基板31の端部より突出している場合には、接続部35が管体20の縮径部27に乗り上げてフレキシブル配線基板31の表面31aよりも浮き上がる。
【００３０】
このように、本実施形態の直管形ランプ11では、フレキシブル配線基板31の端部に、フレキシブル配線基板31の表面31aよりも浮き上がって配線34と口金22の給電端子42とを電気的に接続する接続部35を設けることにより、管体20内のフレキシブル配線基板31と口金22の給電端子42との電気的な接続を容易にすることができる。
【００３１】
また、接続部35は、フレキシブル配線基板31の端部に設けられる切込み部36を介して切り起こされているため、フレキシブル配線基板31の表面31aよりも浮き上がりやすくすることができ、フレキシブル配線基板31に負荷がかからないようにできる。
【００３２】
さらに、切込み部36の端部を円形孔状に形成しているため、切込み部36の端部からフレキシブル配線基板31が裂けてしまうのを防止することができる。
【００３３】
また、管体20の端部に縮径部27が設けられている場合でも、フレキシブル配線基板31に負荷を加えずに口金22の給電端子42との電気的な接続ができる。
【００３４】
また、フレキシブル配線基板31の端部が管体20の縮径部27に当接して位置決めし、保持することができ、管体20内のフレキシブル配線基板31の長手方向の位置ずれを防止できる。そのため、フレキシブル配線基板31の位置ずれによって接続部35に負荷がかかるのを防止できる。
【００３５】
また、接続部35の連結部37付近は、フレキシブル配線基板31から曲げられており、管体20の熱膨張および収縮時において、フレキシブル配線基板31の位置と口金22の接続位置との間の間隔の変化に対応して、フレキシブル配線基板31の長手方向の応力を吸収する応力吸収手段として構成することができる。
【００３６】
なお、管体20としては、端部に縮径部27を有する管体20に限らず、端部に縮径部27がない管体20でもよい。縮径部27がない場合にも、フレキシブル配線基板31の端部に、フレキシブル配線基板31の表面31aよりも浮き上がる接続部35を設けることにより、管体20内のフレキシブル配線基板31と口金22の給電端子42との電気的な接続を容易にすることができる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
10    照明装置
11    直管形ランプ
12    器具本体
13，14    ソケット
20    管体
21    発光モジュール
22，23    口金
26    透光領域
27    縮径部
31    フレキシブル配線基板
31a   表面
32    発光部
34    配線
35    接続部
36    切込み部
42    端子としての給電端子
【図１】
2015153624.tif 000003
【図２】
2015153624.tif 000004
【図３】
2015153624.tif 000005
【図４】
2015153624.tif 000006
【図５】
2015153624.tif 000007